(57)【特許請求の範囲】
【請求項１】
上下側用紙送りガイドを通して所定間隔で１枚づつ順次送られてくる用紙を回転する羽根車の隣り合う羽根間に横方向から１枚づつ挿入し、挿入された該用紙が該羽根車の下方側に達した時点で該用紙をその自重によって自然落下させ、該羽根車の下方に配置したスタッカー内に順次積み重ねるようにした羽根車式整列排紙装置の用紙挿入補助装置であって、
前記用紙挿入補助装置は、前記羽根車に隣接して、搬送最終ローラと対向配置された駆動ローラと、テンションローラと、該駆動ローラと該テンションローラとに掛け渡されて回転駆動するガイドベルトと、該駆動ローラと該テンションローラとの間に配置され、該ガイドベルトを押さえて前記下側用紙送りガイドと接し、該下側用紙送りガイドとの押圧力を位置調整で調整可能とした押さえローラとを有し、
前記下側用紙送りガイドは、その先端部が前記羽根車の上側の内部位置まで延設され、前記羽根車の羽根が通過する切欠部が該先端部に形成されているとともに前記搬送最終ローラが臨む位置に覗き穴が形成され、
前記駆動ローラは、前記ガイドベルトを通して前記覗き穴に臨む前記搬送最終ローラと所定圧で接するように設けられ、
前記押さえローラは、前記駆動ローラよりも前記羽根車寄りの前記羽根間の入り口部に臨む位置に前記下側用紙送りガイドと対向配置され、前記駆動ローラと該押さえローラとの間に位置するガイドベルト部分を前記下側用紙送りガイドに所定圧で接するように設けられ、
前記テンションローラは、前記押さえローラと該テンションローラとの間に位置する前記ガイドベルト部分が前記羽根車の羽根の回転軌跡と接するかまたは交差しながら斜め上方に向かう傾斜部分を形成するように前記羽根車の上方に配置されており、
前記下側用紙送りガイド上を搬送する用紙が、前記駆動ローラと前記押さえローラとの間に位置する前記ガイドベルト部分で上から押さえ付けられて該下側用紙送りガイド上を搬送し、該用紙の上側が前記ガイドベルトによる前記傾斜部分で押圧され、該用紙のまくれ上がりを防止して前記羽根間に差し込まれることを特徴とする羽根車式整列排紙装置の用紙挿入補助装置。
【請求項２】
前記テンションローラが位置調整自在とされ、前記傾斜部分の前記羽根車に対する傾斜角度を自在に変えることができるようにしたことを特徴とする請求項１記載の羽根車式整列排紙装置の用紙挿入補助装置。
【請求項３】
前記押さえローラが位置調整自在とし、該押さえローラが前記駆動ローラと前記押さえローラとの間に位置する前記ガイドベルト部分の前記用紙送りガイドへの押圧力を自在に変えることができる位置調整穴を有する位置調整板が備えられていることを特徴とする請求項１記載の羽根車式整列排紙装置の用紙挿入補助装置。
【発明の詳細な説明】
【０００１】
【発明の属する技術分野】
本発明は、１枚づつ順次送られてくる用紙を上下方向に積み重ねて整列排紙する羽根車式整列排紙装置のための用紙挿入補助装置に関する。
【０００２】
【従来の技術】
例えば、枚葉の用紙の印刷・検査工程では、印刷された用紙を所定間隔をおいて１枚づつ順次搬送し、この搬送途中で印刷不良などの検査を行なった後、順次送られてくる用紙を羽根車式整列排紙装置で上下方向に整列して積み重ね、所定枚数毎に封緘して取り出すようにしている。
【０００３】
前記羽根車式整列排紙装置は、周面に複数枚の羽根を放射状に設けられた回転式の羽根車と、用紙を一定間隔で１枚づつ順次搬送して羽根車に送り込む用紙搬送機構と、羽根車の下方に配置した用紙収納用のスタッカーとを備えており、所定間隔で１枚づつ順次送られてくる用紙を回転する羽根車の隣り合う羽根間に１枚づつ挿入し、羽根間に挿入された用紙が羽根車の下部側に達した時点でスタッカー内に自然落下させ、１枚づつ順に上下方向に整列して積み重ねていくようにしたものである。
【０００４】
このような羽根車式整列排紙装置では、用紙搬送機構で運ばれてきた用紙を回転する羽根車の羽根間に１枚づつ挿入する際に、用紙がまくれ上がったり、あるいは位置ずれが発生して、挿入不良を起こすことがないようにするために、羽根間への用紙の挿入を手助けする用紙挿入補助装置が付設されているのが、一般的である。
【０００５】
従来、この用紙挿入補助装置としては、搬送される用紙に向けて斜め上方からエアーを吹き付けて用紙のまくれ上がりを防止するエアーカーテン式のものが一般的である。しかしながら、このエアーカーテン式の場合、吹き付けるエアー圧を高くし過ぎると、用紙のまくれ上がりは防止できるが、用紙の張り付きなどによる搬送速度の低下が発生し、羽根車への挿入タイミングが合わなくなったり、また逆に、エアー圧を低くし過ぎると、挿入タイミングのずれは回避できるが、羽根車の回転に伴う気流などによって用紙がまくれ上がったり、用紙自体のカール（そり）の矯正が不充分であるという問題があった。このため、従来のエアーカーテン式の用紙挿入補助装置の場合、用紙の種類や環境条件に応じてエアー圧を最適な値に調整してやる必要があるとともに、装置の稼働中も常にエアー圧を監視する必要があり、取り扱いが面倒であった。
【０００６】
【発明が解決しようとする課題】
本発明は、上記問題を解決するためになされたもので、取り扱いが簡単で、用紙のまくれ上がりによる挿入不良を確実に防止することができる用紙挿入補助装置を提供することを目的とする。
【０００７】
【課題を解決するための手段】
上記目的を達成するため、請求項１の発明は、上下側用紙送りガイドを通して所定間隔で１枚づつ順次送られてくる用紙を回転する羽根車の隣り合う羽根間に横方向から１枚づつ挿入し、挿入された該用紙が該羽根車の下方側に達した時点で該用紙をその自重によって自然落下させ、該羽根車の下方に配置したスタッカー内に順次積み重ねるようにした羽根車式整列排紙装置の用紙挿入補助装置であって、
前記用紙挿入補助装置は、前記羽根車に隣接して、搬送最終ローラと対向配置された駆動ローラと、テンションローラと、該駆動ローラと該テンションローラとに掛け渡されて回転駆動するガイドベルトと、該駆動ローラと該テンションローラとの間に配置され、該ガイドベルトを押さえて前記下側用紙送りガイドと接し、該下側用紙送りガイドとの押圧力を位置調整で調整可能とした押さえローラとを有し、
前記下側用紙送りガイドは、その先端部が前記羽根車の上側の内部位置まで延設され、前記羽根車の羽根が通過する切欠部が該先端部に形成されているとともに前記搬送最終ローラが臨む位置に覗き穴が形成され、
前記駆動ローラは、前記ガイドベルトを通して前記覗き穴に臨む前記搬送最終ローラと所定圧で接するように設けられ、
前記押さえローラは、前記駆動ローラよりも前記羽根車寄りの前記羽根間の入り口部に臨む位置に前記下側用紙送りガイドと対向配置され、前記駆動ローラと該押さえローラとの間に位置するガイドベルト部分を前記下側用紙送りガイドに所定圧で接するように設けられ、
前記テンションローラは、前記押さえローラと該テンションローラとの間に位置する前記ガイドベルト部分が前記羽根車の羽根の回転軌跡と接するかまたは交差しながら斜め上方に向かう傾斜部分を形成するように前記羽根車の上方に配置されており、
前記下側用紙送りガイド上を搬送する用紙が、前記駆動ローラと前記押さえローラとの間に位置する前記ガイドベルト部分で上から押さえ付けられて該下側用紙送りガイド上を搬送し、該用紙の上側が前記ガイドベルトによる前記傾斜部分で押圧され、該用紙のまくれ上がりを防止して前記羽根間に差し込まれることを特徴とする羽根車式整列排紙装置の用紙挿入補助装置である。
【０００８】
また、請求項２記載の発明は、前記テンションローラが位置調整自在とされ、前記傾斜部分の前記羽根車に対する傾斜角度を自在に変えることができるようにしたものである。
【０００９】
また、請求項３記載の発明は、前記押さえローラが位置調整自在とし、該押さえローラが前記駆動ローラと前記押さえローラ間に位置する前記ガイドベルト部分の前記用紙送りガイドへの押圧力を自在に変えることができる位置調整穴を有する位置調整板を備えることができる。
【００１０】
上記構成の用紙挿入補助装置とした場合、駆動ローラと押さえローラ間に位置するガイドベルト部分で用紙を上から押さえ付けながら羽根車の隣り合う羽根間に用紙を送り込むことができる。さらに、押さえローラとテンションローラ間に位置するガイドベルト部分によって、隣り合う羽根間に送り込まれた用紙の上部側を覆うようにしているので、羽根間へ送り込まれてきた用紙の先端が羽根車の回転気流などで上方へまくれ上がったりしても、羽根間から外へ抜け出ることを阻止することができる。このため、搬送されてくる用紙を１枚づつ順に羽根車の隣り合う羽根間に挿入していくことができ、従来の用紙挿入補助装置のように挿入失敗を起こすようなことがなくなる。
【００１１】
【発明の実施の形態】
以下、本発明の実施の形態について図面を参照して説明する。
図１〜図５に本発明に係る用紙挿入補助装置の第１の実施の形態を示す。
図１は第１の実施の形態に係る用紙挿入補助装置の要部構造を模式的に示した略示斜視図、図２は第１の実施の形態に係る用紙挿入補助装置を付設した羽根車式整列排紙装置の略示側面図、図３はその平面図、図４は図２中のIV−IV線略示断面図、図５は図２中のＶ−Ｖ線略示断面図である。
【００１２】
図において、１０は羽根車、１１は用紙Ｐを羽根車１２の位置まで１枚づつ順に搬送する用紙搬送機構、１２は羽根車１０から排紙される用紙Ｐを１枚づつ順に上下方向に整列して積み重ねて収容するスタッカー、１３は用紙挿入補助装置である。
【００１３】
羽根車１０は、円筒状胴部１４の周面に、複数本の羽根１５を等間隔で２列に配設したもので、回転方向に沿って隣り合う羽根１５，１５の間に形成される間隙部１６内に用紙Ｐを送り込んで挿入するものである。２列に配設された羽根１５，１５同士の離間距離Ｗ（図１参照）は、後述するガイドベルト２９がその間を通り抜けできるに十分な幅とされている。この羽根車１０は、図示を略した駆動モータによって矢印方向に指定の速度で回転駆動されている。
【００１４】
用紙搬送機構１１は、用紙Ｐが通過可能な間隔をおいて上下に対向配置された用紙送りガイド１８，１９を備えており、この用紙送りガイド１８，１９の所望の位置に複数のローラ覗き穴２０が形成され、このローラ覗き穴２０位置に上側送りローラ２１と下側送りローラ２２が臨まされ、用紙Ｐはこの上下一対の送りローラ２１，２２によって用紙送りガイド１８，１９内を羽根車に向かって搬送されるものである。図示例の場合、前記上下一対の送りローラ２１，２２のうち、下側ローラ２２が駆動ローラ、上側ローラ２１が従動ローラとされており、下側ローラ２２はローラ軸に取り付けられたプーリ２３を介して駆動モータ（図示せず）に繋がれ、指定の送り速度で回転駆動されている。
【００１５】
また、前記上下に対向配置された用紙送りガイド１８，１９のうち、下側の用紙送りガイド１９は、その先端部を羽根車１０の上部側の内部位置まで延設されているとともに、その先端部には矩形状の切欠部２４が形成され、前記２列配置された各羽根１５はこの切欠部２４内を通って回転できるように構成されている。
【００１６】
用紙挿入補助装置１３は、駆動ローラ２６と、押さえローラ２７と、テンションローラ２８と、これら３個のローラ間に掛け渡された無限軌道（キャタピラ）式のガイドベルト２９とを有している。
【００１７】
駆動ローラ２６は、ガイドベルト２９が下側の用紙送りガイド１９の最先端覗き窓３０に配置された搬送最終ローラ３１に接するように、搬送最終ローラ３１の位置に対向配置されている。この駆動ローラ２６は、プーリ２５を介して駆動モータ（図示せず）に繋がれ、所定の速度で図中の矢印方向に回転駆動されている。
【００１８】
押さえローラ２７は、前記駆動ローラ２６よりも羽根車１０寄りの位置に、前記駆動ローラ２６と押さえローラ２７間に位置するガイドベルト部分２９ａが下側の用紙送りガイド１９に接するように配置されている。この押さえローラ２７は、位置調整板３２、位置調整ねじ３３、位置調整穴３４によってベルトガイドベース３５に、上下方向の位置を調整自在に取り付けられており、押さえローラ２７の上下方向の位置を調整することにより、用紙送りガイド１９に対する前記ガイドベルト部分２９ａの押圧力を自在に調整できるようになっている。
【００１９】
テンションローラ２８は、テンションローラ２８と押さえローラ２７間に位置するガイドベルト部分２９ｂが羽根車１０の羽根１５の回転軌跡内を通って斜め上方に傾斜配置されるように、前記押さえローラ２７の前方側であって、前記羽根車１０の上方に位置して配置されている。このテンションローラ２８は、位置調整板３６、位置調整ねじ３７、位置調整穴３８によってベルトガイドベース３５に、上下・左右方向の位置を調整自在に取り付けられており、テンションローラ２８の上下・左右方向の位置を調整することにより、ガイドベルト部分２９ｂの傾斜角度と、ガイドベルト２９のテンション（張り具合）を自在に調整できるようになっている。
【００２０】
なお、前記傾斜配置されたガイドベルト部分２９ｂは、羽根車１０の羽根１５の回転軌跡に接するか、もしくはその内部に入り込んで交差するように配置されるが、前述したように、ガイドベルト２９は２列配置された羽根１５，１５の間の間隙を通り抜けできるようなベルト幅とされており、回転する羽根１５とぶつからないように設定されている。
【００２１】
次に、上記装置の動作を説明する。
用紙Ｐが上下の用紙送りガイド１８，１９の間に一定間隔をおいて順に送りこまれると、用紙Ｐは所定間隔毎に配置された上下一対の送りローラ２１，２２によって羽根車１０に向かって搬送されていく。用紙Ｐが用紙挿入補助装置１３の位置まで達すると、搬送されてきた用紙Ｐは駆動ローラ２６と押さえローラ２７間に位置するガイドベルト部分２９ａと下側の用紙送りガイド１９に挟まれ、その中に向かって送り込まれる。
【００２２】
前記ガイドベルト部分２９ａと下側の用紙送りガイド１９の間に送り込まれた用紙Ｐは、ガイドベルト部分２９ａによって上側から所定の圧力で押さえ付けられ、この状態で羽根車１０に向かって送られていく。このため、用紙Ｐが位置ずれを起こしたり、また、羽根車１０の回転に伴う気流によってまくれ上がるようなこともなくなり、用紙自体のカール（そり）の矯正にも対処できる。
【００２３】
そして、用紙Ｐの先端が押さえローラ２７よりも前方側へ抜け出ると、用紙Ｐの先端は羽根車１０の隣り合う羽根１５，１５間の入口部に臨んだ状態となり、そのまま羽根１５，１５間に送り込まれていく。
【００２４】
このとき、この送り込まれていく用紙Ｐは、ガイドベルト部分２９ａから抜け出ていくことによって用紙の先端側から徐々にガイドベルト部分２９ａの押圧力から開放されていき、場合によっては上方へまくれ上がり可能な状態となるが、このガイドベルト部分２９ａによる押圧力から開放された時点で、その上側を押さえローラ２７とテンションローラ２８間の傾斜配置されたガイドベルト部分２９ｂで覆われた状態となる。
【００２５】
このため、前記ガイドベルト部分２９ａによる押圧力から開放された用紙Ｐの先端側がたとえ羽根車１０の回転に伴う気流によって上方へまくれ上がったとしても、その上側を傾斜配置されたガイドローラ部分２９ｂによって覆われているため、用紙Ｐは羽根１５，１５の間から外側へ抜けだすことはできず、そのまま隣り合う羽根１５，１５間の奥深くへと挿入されていく。したがって、従来のエアカーテン式の用紙挿入補助装置のように用紙Ｐのまくれ上がりや位置ずれなどによって羽根車への用紙の挿入に失敗するというようなことがなくなる。
【００２６】
前記のようにして隣り合う羽根１５，１５間に挿入された用紙Ｐは、羽根車１０の回転に伴って下方へ向けて搬送されていき、羽根車１０の下部位置に達した時点で、図２中に示すように、羽根１５，１５の間から下方に配置したスタッカー１２内に自重によって落とし込まれ、スタッカー１２内に上下方向に整列した状態で積み上げられていく。このようにして、上記第１の実施の形態によれば、まくれ上がりや位置ずれによる用紙の挿入失敗を確実に防止しながら用紙を上下方向に順次整列して積み重ねていくことができる。
【００２７】
なお、搬送される用紙Ｐの紙質や大きさ、搬送速度などによっては、駆動ローラ２６と押さえローラ２７間に位置するガイドベルト部分２９ａによる用紙Ｐの押圧力を変える必要が生じる場合があるが、そのような場合には、位置調整ねじ３３を緩めて位置調整板３２を上下に動かし、押さえローラ２７の上下方向の位置を調整すればよい。これによって、ガイドベルト部分２９ａによる用紙Ｐに対する押圧力を自在に調整することができる。
【００２８】
また、同様に、搬送される用紙Ｐの紙質や大きさ、搬送速度などによっては、押さえローラ２７とテンションローラ２８に位置するガイドベルト部分２９ｂの傾斜角度やガイドベルト２９の張り具合を調節する必要が生じる場合があるが、そのような場合には、位置調整ねじ３７を緩めて位置調整板３６を上下、左右に動かし、テンションローラ２８の上下・左右方向の位置を調整すればよい。これによって、ガイドベルト部分２９ｂの傾斜角度やガイドベルト２９の張り具合を自在に調整することができる。
【００２９】
図６に、本発明に係る用紙挿入補助装置の第２の実施の形態を示す。
前述した第１の実施の形態に係る用紙挿入補助装置１３は、羽根車１０の羽根１５を２列に配置し、この２列配置した羽根１５，１５の間をガイドベルト２９が通るようにしたが、この第２の実施の形態に係る用紙挿入補助装置１３は、第１の実施の形態とは逆に、羽根車１０の羽根１５を１列配置、ガイドベルト２９を２列配置とし、２列配置したガイドベルト１９の間を羽根１５が通るようにしたものである。なお、その他の部分の構成と動作は、前述した第１の実施の形態と同様であるから、その詳細な説明と、図示は省略する。
【００３０】
【発明の効果】
以上説明したように、本発明の用紙挿入補助装置よれば、駆動ローラと押さえローラ間に位置するガイドベルト部分で用紙を上から押さえ付けながら羽根車の隣り合う羽根間に用紙を送り込み、さらに、押さえローラとテンションローラ間に位置するガイドベルト部分によって、隣り合う羽根間に送り込まれた用紙の上部側を覆うようにしているので、搬送されてくる用紙を確実に羽根間に挿入していくことができ、従来装置のように用紙のまくれ上がりや位置ずれによって挿入不良を起こすようなことがなくなる。
【００３１】
また、テンションローラの位置を調整自在とし、押さえローラとテンションローラ間に位置するガイドベルト部分の羽根車に対する傾斜角度を自在に変えることができるようにしたので、搬送される用紙の紙質や大きさ、搬送速度などに応じて最適な傾斜角度に調整することができ、種々の種類の用紙に適用することが可能となる。
【００３２】
さらに、押さえローラの位置を調整自在とし、駆動ローラと押さえローラ間に位置するガイドベルト部分の紙送りガイドへの押圧力を自在に変えることができるようにしたので、搬送される用紙の紙質や大きさ、搬送速度などに応じて最適な押圧力とすることができ、種々の種類の用紙に適用することが可能となる。
【図面の簡単な説明】
【図１】本発明の第１の実施の形態に係る用紙挿入補助装置の要部構造を模式的に示した略示斜視図である。
【図２】第１の実施の形態に係る用紙挿入補助装置を付設した羽根車式整列排紙装置の略示側面図である。
【図３】第１の実施の形態に係る用紙挿入補助装置の平面図である。
【図４】図２中のIV−IV線略示断面図である。
【図５】図２中のＶ−Ｖ線略示断面図である。
【図６】本発明の第２の実施の形態に係る用紙挿入補助装置の要部構造を模式的に示した略示斜視図である。
【符号の説明】
Ｐ    用紙
１０    羽根車
１１    用紙搬送機構
１２    スタッカー
１３    用紙挿入補助装置
１５    羽根
１６    羽根間の間隙部
１８    上側の用紙送りガイド
１９    下側の用紙送りガイド
２４    切欠部
２６    駆動ローラ
２７    押さえローラ
２８    テンションローラ
２９    ガイドベルト
２９ａ  駆動ローラと押さえローラ間に位置するガイドベルト部分
２９ｂ  押さえローラとテンションローラ間に位置するガイドベルト部分
３１    搬送最終ローラ
３２    位置調整板
３３    位置調整ねじ
３４    位置調整穴
３６    位置調整板
３７    位置調整ねじ
３８    位置調整穴
【図１】
0004480230.tif 000002
【図２】
0004480230.tif 000003
【図３】
0004480230.tif 000004
【図４】
0004480230.tif 000005
【図５】
0004480230.tif 000006
【図６】
0004480230.tif 000007